(57)【要約】【課題】電気除湿機において、除湿水を捨てる作業を容易に行なうと共に、その作業時に蒸発器から滴下する除湿水で除湿機内が濡れてしまうのを防止すること。【解決手段】電気除湿機５０は、圧縮機１、凝縮器２、キャピラリ３、及び蒸発器４を冷媒配管５ａ、５ｂで接続した除湿サイクルと、蒸発器４に結露した除湿水を受ける露受皿６と、露受皿６で受けた除湿水を一時的に貯える水受タンク７と、水受タンク７と別個に設けた排水タンク９と、水受タンク７に貯まった除湿水を排水タンク９へ移動する水ポンプと、水ポンプ１０を制御する制御装置２０とを備える。【選択図】図２
2006043523.tif 000002
【特許請求の範囲】
【請求項１】
圧縮機、凝縮器、キャピラリ、及び蒸発器を冷媒配管で接続した除湿サイクルと、
前記蒸発器に結露した除湿水を受ける露受皿と、
前記露受皿で受けた除湿水を一時的に貯える水受タンクと、
前記水受タンクと別個に設けた排水タンクと、
前記水受タンクに貯まった除湿水を排水タンクへ移動する水ポンプと、
前記水ポンプを制御する制御装置とを備えた
ことを特徴とする電気除湿機。
【請求項２】
請求項１に記載された電気除湿機において、前記制御装置は、除湿水量検知手段により前記水受タンク内の除湿水量を検知し、検知した除湿水量が所定量に達すると前記水ポンプを運転して前記水受タンクの除湿水を前記排水タンクに移動し、排水量検知手段により排水タンク内の排水量を検知し、前記排水タンク内の排水量が所定量に達すると前記水ポンプの運転を停止するように制御することを特徴とする電気除湿機。
【請求項３】
請求項２に記載された電気除湿機において、前記除湿水量検知手段は第１の除湿水量検知手段と第２の除湿水量検知手段とを備え、前記制御装置は、前記第１の除湿水量検知手段により前記水受タンク内の第１の除湿水量を検知し、検知した第１の除湿水量が所定量に達すると前記水ポンプを運転して前記水受タンクの除湿水を前記排水タンクに移動し、排水量検知手段により排水タンク内の除湿水量を検知し、前記排水タンク内の除湿水量が所定量に達すると前記水ポンプの運転を停止し、前記第２の除湿水量検知手段により前記水受タンク内の第２の除湿水量を検知し、検知した第２の除湿水量が所定量に達すると除湿機運転を停止するように制御することを特徴とする電気除湿機。
【請求項４】
請求項１から３の何れかに記載された電気除湿機において、前記水受タンクを蒸発器の下方に配置し、前記排水タンクを前記蒸発器の側方に配置し、前記圧縮機を前記水受タンクの側方で且つ前記排水タンクの直下に配置したことを特徴とする電気除湿機。
【請求項５】
請求項２に記載された電気除湿機において、前記水受タンクは本体ケース内の底部に固定して設置され、前記排水タンクは水受タンクより高い位置に着脱自在に設置されたことを特徴とする電気除湿機。
【請求項６】
請求項２に記載された電気除湿機において、前記除湿水量検知手段は、水量によって変化する水の浮力を利用して前記水受タンク内の除湿水量を検知するフロート方式としたことを特徴とする電気除湿機。
【請求項７】
請求項２の何れかに記載された電気除湿機において、前記除湿水量検知手段は、水受タンク内に２個の電極を設け、水受タンク内の除湿水量が上記２個の電極に達すると満水と判断する水位検知方式としたことを特徴とする電気除湿機。
【請求項８】
請求項１から７の何れかに記載された電気除湿機において、一側の側面を円弧状に形成した除湿機外郭を構成する本体ケースを備え、前記排水タンクは円柱形として前記本体ケースの円弧状側面に合わせて設置したことを特徴とする電気除湿機。
【請求項９】
請求項１から８の何れかに記載された電気除湿機において、前記排水タンクは排水タンクを傾けると開く上蓋を備えていることを特徴とする電気除湿機。
【請求項１０】
請求項２に記載された電気除湿機において、前記排水量検知手段は、前記排水タンク内に貯まった排水量に比例して変化する水の重量によって排水タンク内の排水量を検知する重量検知方式としたことを特徴とする電気除湿機。
【発明の詳細な説明】
【技術分野】
【０００１】
本発明は、電気除湿機に係り、特に除湿水を貯める水タンクを備えた家庭用電気除湿機に好適なものである。
【背景技術】
【０００２】
従来の家庭用電気除湿機としては、圧縮機、凝縮器、キャピラリ、及び蒸発器からなる除湿サイクルと、蒸発器に結露した除湿水を受ける露受皿と、露受皿で受けた除湿水を貯える着脱自在な水受タンクと、水受タンク内に設けられたフロートと、除湿水が所定量に達すると除湿運転を自動的に停止させると共にランプ表示する制御装置とが備えられ、使用者が水受タンクを外して水を捨てるようになっている。
【０００３】
係る電気除湿機において、水受タンクは、上面から水を受け、水が零れないよう安定して取付けることが必要なため、本体ケースの下部に設置されている。また、近年では、除湿能力アップと共に水受けタンクの大形化が進み、水受けタンクの容量は１０年前には２．０〜２．５Ｌが一般的であったものが現状では５．０〜６．０Ｌ（５〜６ｋｇ）にも達している。このため、水受タンクの水を捨てる操作は、中腰になって５〜６ｋｇもの水受タンクを水が零れないよう水平に引き出して持ち上げる作業となり、大変操作しにくいものとなっている。
【０００４】
そこで、特開平１１−８３０７３号公報（特許文献１）に記載された電気除湿機が案出されている。この特許文献１の電気除湿機では、水受タンクに相当する排水タンクの下側に受け皿を設け、この受け皿の両側面に対向して本体ベースに一対のガイドレールを設け、排水タンクを載せたまま受け皿をスライドさせて引き出せるようにしたものである。
【０００５】
【特許文献１】特開平１１−８３０７３号公報
【発明の開示】
【発明が解決しようとする課題】
【０００６】
しかし、特許文献１の電気除湿機では、排水タンクを引き出す作業が容易になるものの、５〜６ｋｇもの排水タンクを中腰で引き出し持ち上げる基本的な作業に変わりはなく、さらなる操作性の向上が望まれている。また、排水タンクを取外した状態で、蒸発器や露受皿に残っている水滴が落下し、除湿機内を濡らす恐れがあった。
【０００７】
本発明の目的は、除湿水を捨てる作業を容易に行なうことができると共に、その作業時に蒸発器から滴下する除湿水で除湿機内が濡れてしまうことを防止できる電気除湿機を提供することにある。
【課題を解決するための手段】
【０００８】
前記目的を達成するために、本発明の電気除湿機は、圧縮機、凝縮器、キャピラリ、及び蒸発器を冷媒配管で接続した除湿サイクルと、前記蒸発器に結露した除湿水を受ける露受皿と、前記露受皿で受けた除湿水を一時的に貯える水受タンクと、前記水受タンクと別個に設けた排水タンクと、前記水受タンクに貯まった除湿水を排水タンクへ移動する水ポンプと、前記水ポンプを制御する制御装置とを備えたものである。
【０００９】
係る本発明のより好ましい具体的な構成例は次の通りである。
（１）前記制御装置は、湿水量検知手段により前記水受タンク内の除湿水量を検知し、検知した除湿水量が所定量に達すると前記水ポンプを運転して前記水受タンクの除湿水を前記排水タンクに移動し、排水量検知手段により排水タンク内の排水量を検知し、前記排水タンク内の排水量が所定量に達すると前記水ポンプの運転を停止するように制御すること。
（２）前記（１）に加えて、前記除湿水量検知手段は第１の除湿水量検知手段と第２の除湿水量検知手段とを備え、前記制御装置は、前記第１の除湿水量検知手段により前記水受タンク内の第１の除湿水量を検知し、検知した第１の除湿水量が所定量に達すると前記水ポンプを運転して前記水受タンクの除湿水を前記排水タンクに移動し、排水量検知手段により排水タンク内の除湿水量を検知し、前記排水タンク内の除湿水量が所定量に達すると前記水ポンプの運転を停止し、前記第２の除湿水量検知手段により前記水受タンク内の第２の除湿水量を検知し、検知した第２の除湿水量が所定量に達すると除湿機運転を停止するように制御すること。
（３）前記水受タンクを蒸発器の下方に配置し、前記排水タンクを前記蒸発器の側方に配置し、前記圧縮機を前記水受タンクの側方で且つ前記排水タンクの直下に配置したこと。
（４）前記水受タンクは本体ケース内の底部に固定して設置され、前記排水タンクは水受タンクより高い位置に着脱自在に設置されたこと。
（５）前記（１）に加えて、前記除湿水量検知手段は、水量によって変化する水の浮力を利用して前記水受タンク内の除湿水量を検知するフロート方式としたこと。
（６）前記（１）に加えて、前記水受タンクに設ける前記除湿水量検知手段は、水受タンク内に２個の電極を設け、水受タンク内の除湿水量が上記２個の電極に達すると満水と判断する水位検知方式としたこと。
（７）一側の側面を円弧状に形成した除湿機外郭を構成する本体ケースを備え、前記排水タンクは円柱形として前記本体ケースの円弧状側面に合わせて設置したこと。
（８）前記排水タンクは排水タンクを傾けると開く上蓋を備えていること。
（９）前記（１）に加えて、前記排水量検知手段は、前記排水タンク内に貯まった排水量に比例して変化する水の重量によって排水タンク内の排水量を検知する重量検知方式としたこと。
【発明の効果】
【００１０】
本発明によれば、除湿水を捨てる作業を容易に行なうことができると共に、その作業時に蒸発器から滴下する除湿水で除湿機内が濡れてしまうことを防止できる電気除湿機を実現できる。
【発明を実施するための最良の形態】
【００１１】
以下、本発明の一実施例について図１〜図６を用いて説明する。
【００１２】
電気除湿機５０は、除湿サイクル、露受皿６、水受タンク７、排水タンク９、水ポンプ１０、ファン１２、ファンモータ１３、除湿水量検知手段、排水量検知手段３３、及び制御装置２０を主要機器として備え、これらを本体ケース８内に収納して構成されている。なお、除湿水量検知手段は、第１の除湿水量検知手段３１と第２の除湿水量検知手段３２とを備えて構成されているが、両方の機能を有する１つの除湿水量検知手段で構成されていてもよい。
【００１３】
本体ケース８は、図１及び図２示すように薄幅の箱型長方形を基本形状としており、一方の側面が半円弧状に形成されている。この半円弧状の側面に合わせて円筒状の排水タンク９が設置されている。本体ケース８は、排水タンク９の上方に位置する上面部分に排水タンク９の取出開口部８ｃを形成しており、この取出開口部８ｃを塞ぐための開閉カバー８ｄが開閉自在に設けられている。
【００１４】
除湿サイクルは、圧縮機１、凝縮器２、キャピラリ３、及び蒸発器４を冷媒配管５ａ、５ｂで順次接続して構成されている。除湿サイクル内には冷媒が封入されている。なお、冷媒配管５ａ、５ｂは、図２にその一部分のみを図示してある。
【００１５】
凝縮器２、蒸発器４、ファン１２及びファンモータ１３は、本体ケース８の側面に設けられた空気吸込口８ａから並んで設置されている。ファン１２及びファンモータ１３によって、室内空気Ａが空気吸込口８ａ、蒸発器４、凝縮器２を通って、本体８の上面に設けられた空気吹出口８ｂから乾燥空気Ｂを室内に吹き出すように構成されている。
【００１６】
露受皿６は蒸発器４に結露した除湿水を受けるように蒸発器４の直下に設置されている。水受タンク７は、露受皿６で受けた除湿水を一時的に貯えるように、蒸発器４及び露受皿６の下方に設置されている。水受タンク７は、通常運転時には殆ど取出す必要がないため、固定的に設置されている。
【００１７】
排水タンク９は、水受タンク７と別個に設けられ、本体ケース８内の上部に着脱自在に設置され、本体ケース８の上面開口８ｃから取出し可能に設置されている。排水タンク９の具体的な設置位置は、凝縮器２、キャピラリ３及び蒸発器４の側方で且つ水受タンク７及び圧縮機１の上方である。
【００１８】
この排水タンク９は、図３及び図４に示すように、回転軸９ａを中心に回転自在なハンドル９ｂが設けられている。ハンドル９ｂは、本体ケース８内に収納時に図３の如く固定蓋９ｃの上に倒しておき、排水タンク９を取出す時に図４の如く立てて持ち運ぶことができるようになっている。半円状の固定蓋９ｃの下側には中心側で幾分重なりながら、同じく半円状の可動蓋９ｄが回転軸９ａを中心に回転自在に取付けられている。
【００１９】
水ポンプ１０は水受タンク７に貯まった除湿水を排水タンクへ移動するように設けられている。換言すれば、水受タンク７と排水タンク９とは水ポンプ１０を介して水配管１１ａ、１１ｂで接続されている。なお、水配管１１ｂの先端部１１ｃは排水タンク９への接続及び取外しが容易にできるようなフレキシブルホースとなっている。
【００２０】
第１の除湿水量検知手段３１及び第２の除湿水量検知手段３２は水受タンク７に設けられている。第１の除湿水量検知手段３１は水受タンク７内の第１の除湿水量を検知するものであり、第２の除湿水量検知手段３２は水受タンク７内の第２の除湿水量を検知するものである。
【００２１】
第１の除湿水量検知手段３１は、水受タンク７内を上下動するフロート１８と、このフロート１８の位置を検出して開閉作動するスイッチ１９とを備えて構成されている。フロート１８は水受タンク７内の下部を上下動するように配置された円柱体で構成されている。スイッチ１９はフロート１８が上下動する部分に近接して設けられている。フロート１８は、水受タンク７内の除湿水位７ａが第１の所定値まで上昇し、これに伴って水の浮力でフロート１９が所定位置まで上昇すると（換言すれば、水受タンク７内の除湿水が第１の所定水量になると）、これを検知してその検知信号を制御装置２０に入力する。制御装置２０は、この検知信号に基づいて、水ポンプ１０を運転させ、水受タンク７内の除湿水を排水タンク９内に移動させるように制御する。
【００２２】
第２の除湿水量検知手段３２は、水受タンク７内を上下に回動するフロート１４と、このフロート１４の回動により開閉作動するスイッチ１５とを備えて構成されている。フロート１４は、水受タンク７内の上部を上下に回動するように配置された中空部１４ａを備えている。フロート１４は、水受タンク７内の除湿水位７ａが第２の所定値まで上昇し、これに伴って水の浮力で中空部１４ａが所定位置まで上昇すると、先端部１４ｂが押し下げられて、マイクロスイッチ１５の動作ボタン１５ａが押されてマイクロスイッチ１５が作動する。このマイクロスイッチ１５の作動信号が制御装置２０に入力される。制御装置２０は、この作動信号に基づいて、除湿機の運転を停止する。
【００２３】
排水量検知手段３３は排水タンク９に設けられている。排水量検知手段３３は、排水タンク９の底部裏側に設置したコイルバネ１６と、排水タンク９の底面が降下することにより作動するポンプ停止スイッチ１７とを備えて構成されている。
【００２４】
制御装置２０は、除湿運転及び水ポンプ１０の運転を制御する。すなわち、制御装置２０は、スイッチ１９、マイクロスイッチ１５、ポンプ停止スイッチ１７及びその他のセンサからの信号に基づいて、圧縮機１及びファンモータ１３などを制御する除湿運転制御と、水ポンプ１０の運転を制御するポンプ運転制御とを行なう。
【００２５】
次に、本実施例の電気除湿機の制御装置２０による運転動作について説明する。
【００２６】
室内の湿度が高い場合（例えば相対湿度８０％）に運転スイッチ（図示せず）をオンすると、圧縮機１を運転してガス冷媒を圧縮し、高温高圧のガス冷媒として凝縮器２へ送る。この冷媒は、凝縮器２で放熱されて液化され、細径のキャピラリ３を通過することによって低圧液冷媒となり、蒸発器４へ送られる。蒸発器４で冷媒通路は一気に広くなるため、蒸発器４に送られた液冷媒は蒸発して大量の気化熱を奪い蒸発器４を冷却する。
【００２７】
一方、運転スイッチ（図示せず）をオンすると、ファンモータ１３を運転してファン１２を回転し、室内空気の循環を行なう。これによって、室内の高湿空気は、図２の矢印Ａの如く空気吸込口８ａから吸込まれ、蒸発器４で冷却されると共に、相対湿度が飽和して蒸発器４表面に結露し、低温低湿空気となって凝縮器２に送られる。この低温低湿空気は凝縮器２で温められ、常温低湿空気（乾燥空気）となって空気吹出口８ｂから図２の矢印Ｂの如く室内に吹き出される。
【００２８】
前記の空気循環を繰り返すことにより、室内空気の除湿を行ない、室内の湿度が設定された快適湿度（例えば６０％）に達すると、除湿センサ（図示せず）により検知して除湿運転を停止する。
【００２９】
前記除湿運転により蒸発器４に結露した水滴は、多数の水滴が繋がって除湿水として落下し、水受皿６で受けられ、水受タンク７に貯えられる。水受タンク７内の水位７ａが上昇し、これに伴ってフロート１８が水の浮力で上昇する。フロート１８が第１の所定位置まで上昇すると、スイッチ１９が動作され、その動作信号が制御装置２０に入力される。これによって、水ポンプ１０を運転させて水受タンク７内の除湿水を排水タンク９内に移動させる。水受タンク７内の除湿水が所定値以下になると、フロート１８は降下し、所定位置まで降下すると、スイッチ１９が動作され、その動作信号が制御装置２０に入力される。これによって、水ポンプ１０を停止する。
【００３０】
更に、除湿運転を行ない、排水タンク９内の水位９ｅが満水に近い所定値に達すると、排水タンク９の底部裏側に設置したコイルバネ１６が圧縮され、排水タンク９が降下されてポンプ停止スイッチ１７が作動される。このポンプ停止スイッチ１７の停止信号に基づいて、水ポンプ１０の運転を停止し、排水タンク９が満水であることを示すランプ表示（図示せず）を行なう。
【００３１】
水ポンプ１０の運転を停止した後も、水受タンク７に貯えられる除湿水が第２の所定水量に達するまでは除湿運転を行なう。ポンプ停止スイッチ１７の停止信号に基づく水ポンプ１０の運転を停止後の除湿運転により、水受タンク７に貯えられる除湿水が第１の所定水量を越えて水位が上昇し、フロート１４まで到達すると、フロート１４が水の浮力で押し上げられて回動される。そして、第２の所定水量である水位まで到達すると、フロート１４の中空部１４ａが浮き上がり先端部１４ｂが押し下げられ、マイクロスイッチ１５の動作ボタン１５ａが押されてマイクロスイッチ１５が作動する。これによって、除湿運転を停止し、除湿運転を停止したことを示すランプ表示（図示せず）を行なう。
【００３２】
排水タンク９を取出して排水する場合は、固定蓋９ｃ側低部を図５の矢印Ｄのように持ち上げて、排水タンク９を傾けると、可動蓋９ｄが回転軸９ａを中心に固定蓋９ｃとの隙間分だけ回転し、排水タンク９内の水が矢印Ｅのように排出される。この時の排水部は排水タンク９が円筒状であり、可動蓋９ｄが固定蓋９ｃとの隙間分だけしか開かないため、水は集中的に流出し、流し台等から排水が飛び出す恐れがない。
【００３３】
なお、水受タンク７内の水位検知手段としては、フロート方式の外に、図６に示す如く、水受タンク７内に２個の電極７ｂを設け、水位７ａが２個の電極７ｂに達すると、水の導電性により電極７ｂ間の電位差が変化することを利用した満水を検知する電極方式としてもよい。この電極方式は水受タンク７が固定できることにより可能となったものであり、従来のフロート方式の技術とは異なるが、フロート１４とマイクロスイッチ１５を２個の電極７ｂで置き変えることができ、部品コスト、取付作業費共に低減することができる。
【００３４】
なお、水受タンク７の固定方法は、本体ケース８に設けた縦リブ８ｅに嵌合させて、稀にではあるが取外して清掃可能なように固定することが望ましい。電極７ｂの配線７ｃはコネクタを介して制御装置２０に接続され、水受タンク７と共に取外し可能とされる。
【００３５】
本実施例では、圧縮機１、凝縮器２、キャピラリ３、及び蒸発器４を冷媒配管５ａ、５ｂで接続した除湿サイクルと、蒸発器４に結露した除湿水を受ける露受皿６と、露受皿６で受けた除湿水を一時的に貯える水受タンク７と、水受タンク７と別個に設けた排水タンク９と、水受タンク７に貯まった除湿水を排水タンク９へ移動する水ポンプ１０と、水ポンプ１０を制御する制御装置２０とを備えているので、排水タンク９に貯められた除湿水のみを捨てればよく、除湿水を捨てる作業を容易に行なうことができると共に、除湿水を捨てる作業時に水受タンク７で蒸発器４から滴下する除湿水を収納でき、滴下する除湿水で除湿機内が濡れてしまうことを防止できる。
【００３６】
また、制御装置２０は、水受タンク７に設けた除湿水量検知手段３１により水受タンク７内の除湿水量を検知し、検知した除湿水量が所定量に達すると水ポンプ１０を運転して水受タンク７の除湿水を排水タンク９に移動し、排水タンク９に設けた排水量検知手段３３により排水タンク９内の排水量を検知し、排水タンク９内の排水量が所定量に達すると水ポンプ１０の運転を停止するように制御するので、排水タンク９内を自動的に満水状態で停止することができる。
【００３７】
また、制御装置２０は、水受タンク７に設けた第１の除湿水量検知手段３１により水受タンク７内の第１の除湿水量を検知し、検知した第１の除湿水量が所定量に達すると水ポンプ１０を運転して水受タンク７の除湿水を排水タンク９に移動し、排水タンク９に設けた排水量検知手段３３により排水タンク９内の除湿水量を検知し、排水タンク９内の除湿水量が所定量に達すると水ポンプ１０の運転を停止し、第２の除湿水量検知手段３２により水受タンク７内の第２の除湿水量を検知し、検知した第２の除湿水量が所定量に達すると除湿機運転を停止するように制御するので、水受タンク７及び排水タンク９の両方が満水になるまで除湿水を貯めることができる。
【００３８】
また、水受タンク７を蒸発器４の下方に配置し、排水タンク９を蒸発器４の側方に配置し、圧縮機１を水受タンク７の側方で且つ排水タンク９の直下に配置した構成としているので、除湿機の全体構成をコンパクトにすることが可能である。
【００３９】
また、露受皿６から除湿水を受けて一時的に貯える水受タンク７と別個に排水タンク９を設けることにより、水受タンク７は使用者が着脱する必要がなく本体ケース８に固定しておくことができ、フロート１８、１４とスイッチ１９、１５の位置関係を所定の位置に確実に確保することができ、誤作動を防止することができる。また、従来、水受タンクの装着が不十分な場合に発生する圧縮機の運転振動による水受タンクの振動音の発生を防止することができる。
【００４０】
また、排水タンク９は水受タンク７と別個に設け、水受タンク７と排水タンク９との間の除湿水の移動は水ポンプ１０で行なうので、設置位置や形状、構造が何の制約もなく製作できるので、水受タンク７の取付け位置を従来の本体底部から上部に変えることができる等、多くの効果を有するものである。
【００４１】
また、水受タンク７には除湿水量検知手段３１、３２を、排水タンク９には排水量検知手段３３を設け、これらの検知手段の検出信号に基づいて制御する制御装置２０を備えているので、除湿水量の適切な運転制御を行なうことができる。
【００４２】
また、水受タンク７は本体ケース８の底部に固定設置し、排水タンク９は水受タンク７より高い位置に着脱自在に設置しているので、水受タンク７を適切な位置に固定して露受皿６からの除湿水を受け一時的に貯える水受けの役目をし、排水タンク９を中腰にならずに取付け取外しが容易にできるように本体ケース８内の上部に設置して排水の役目に適した構造となり、除湿水の排水処理が確実で容易に行なえる効果がある。
【００４３】
また、水受タンクと露受皿とを一体に製作することも可能となり、この場合には、一体化により製造コストが低減できると共に、露受皿で受けた除湿水が露受皿を伝わって水受タンク外にこぼれ落ちる恐れが解消される。
【００４４】
また、水受タンク７に設ける除湿水量検知手段３１または３２は、水量によって変化する水の浮力を利用したフロート方式としているので、従来から実績のあるフロート方式の技術を活かせると共に、水受タンク７を着脱しないで済むため、従来以上に信頼性の向上を図ることができる。
【００４５】
また、水受タンク７に設ける除湿水量検知手段３２は、水受タンク７内に２個の電極７ｂを設け、水受タンク７内の除湿水量が上記２個の電極７ｂに達すると満水と判断する水位検知方式とすることにより、従来のフロート方式に比べ、可動部がなく構造が簡単であり、マイクロスイッチを不要とする等コスト低減を図ることができる。なお、本電極方式が使用できるのは水受タンク７を着脱しないで済むことによるものである。
【００４６】
また、排水タンク９は円筒形とし本体ケース８の外郭の側面に合わせて設置したものであるから、近年、多くなった薄形タイプの除湿機に適合して、本体ケース８の側面の半円弧状にマッチしたデザインとすることができると共に、水を捨てる際も円弧状の開口部から集中的に流せるため、外部への水の飛散を防ぐことができる。
【００４７】
また、排水タンク９は可動自在な上蓋９ｄを設け、排水タンク９を傾けると上蓋９ｄが開き排水タンク９内の除湿水を排水できる構造としているので、満水になった排水タンク９を持ち運ぶ時に水が零れる恐れが少なく、排水時においても排水タンク９を傾けるだけで上蓋９ｄが開いて排水ができ、且つ水の流出は上蓋９ｄが開いた部分に制限されるため、流し台の外側へ水が飛び出す恐れがなくなる。
【００４８】
また、排水タンク９は、上面中央部の両サイドに回転自在に係止された手持ち用ハンドル９ｂを設け、排水タンク９を除湿機本体から上側へ着脱自在に設置しているので、排水タンク９の着脱操作時に中腰となる必要がなく、ほぼ立ったままの状態で、ハンドル９ｂを持ち上げることにより容易に排水タンク９を取出しすことができる。
【００４９】
また、ハンドル９ｂは排水タンク９の上面中央部の両サイドに回転自在に係止されているため、排水タンク９のほぼ重心部を持つことができ、移動時にも安定感があり、持ち運びに便利な排水タンクを提供することができる。
【００５０】
また、排水タンク９に設ける排水量検知手段３３は、排水タンク９の底面裏側に重量検知手段を設け、排水タンク９内に貯まった排水量に比例して変化する水の重量によって排水タンク９内の水量が所定値に達すると、満水と判断し、水ポンプ１０の運転を停止する重量検知方式としているので、排水タンク９と排水量検知手段３３は一体にする必要がなく、排水量検知手段３３をそのままにして、排水タンク９を単独で移動することができる。
【００５１】
また、水受タンク７及び排水タンク９を抗菌剤入り合成樹脂成形品とすることにより、水垢等による雑菌の繁殖を抑えることができ、水受タンク７及び排水タンク９の内面へのぬめりや汚れの付着が減少し、特に固定してある水受タンク７の手入れ回数が減るという効果を有することができる。
【図面の簡単な説明】
【００５２】
【図１】本発明の一実施例を示す電気除湿機の上面図である。
【図２】図１の電気除湿機の正面断面図である。
【図３】図１の電気除湿機の排水タンクの上面図である。
【図４】図３の排水タンクの正面断面図である。
【図５】図４の排水タンクを傾けた場合の正面断面図である。
【図６】図１の電気除湿機の水受タンク部の変形例を示す正面断面図である。
【符号の説明】
【００５３】
１…圧縮機、２…凝縮器、３…キャピラリ、４…蒸発器、５ａ，５ｂ…冷媒配管、６…露受皿、７…水受タンク、７ａ…水位、７ｂ…電極、７ｃ…配線、８…本体ケース、９…排水タンク、１０…水ポンプ、１１ａ，１１ｂ，１１ｃ…水配管、１２…ファン、１３…ファンモータ、１４…フロート、１５…マイクロスイッチ、１６…コイルバネ、１７…ポンプ停止スイッチ、１８…フロート、１９…スイッチ、２０…制御装置、３１…第１の除湿水量検知手段、３２…第２の除湿水量検知手段、３３…排水量検知手段、５０…電気除湿機。
【図１】
2006043523.tif 000003
【図２】
2006043523.tif 000004
【図３】
2006043523.tif 000005
【図４】
2006043523.tif 000006
【図５】
2006043523.tif 000007
【図６】
2006043523.tif 000008